(57)【要約】【課題】  容易に着脱自在で小型の着脱式カード型平面スピーカ及びこれを含む携帯電話端末機を提供すること。【解決手段】  電子機器に接続されるコネクタと、前記コネクタを保持するカード本体と、前記カード本体に配設される平面スピーカと、前記カード本体に配設され、周囲の音を検出する音検出手段と、前記音検出手段で検出された音に基づき、周囲の音又は振動を減衰させるための駆動信号を生成する駆動信号生成部と、前記駆動信号に基づいて前記平面スピーカを駆動する駆動部とを含む。【選択図】図１
2011252964.tif 000002
【特許請求の範囲】
【請求項１】
電子機器に接続されるコネクタと、
前記コネクタを保持するカード本体と、
前記カード本体に配設される平面スピーカと、
前記カード本体に配設され、周囲の音を検出する音検出手段と、
前記音検出手段で検出された音に基づき、周囲の音又は振動を減衰させるための駆動信号を生成する駆動信号生成部と、
前記駆動信号に基づいて前記平面スピーカを駆動する駆動部と
を含む、着脱式カード型平面スピーカ。
【請求項２】
前記コネクタはＰＣＩコネクタ、又は、ＵＳＢコネクタである、請求項１に記載の着脱式カード型平面スピーカ。
【請求項３】
前記駆動信号生成部は、前記駆動信号として、前記音検出手段で検出された音とは逆位相の音を表す信号を生成する、請求項１又は２に記載の着脱式カード型平面スピーカ。
【請求項４】
前記駆動部に電力供給を行うバッテリをさらに含む、請求項１乃至３のいずれか一項に記載の着脱式カード型平面スピーカ。
【請求項５】
携帯電話端末機に装着するための携帯電話端末機用インターフェイスコネクタをさらに含む、請求項４に記載の着脱式カード型平面スピーカ。
【請求項６】
請求項１乃至５のいずれか一項に記載の着脱式カード型平面スピーカを含む携帯電話端末機。
【発明の詳細な説明】
【技術分野】
【０００１】
本発明は、着脱式カード型平面スピーカ及びこれを含む携帯電話端末機に関する。
【背景技術】
【０００２】
従来より、パソコン、サーバ、ゲーム機等のように、ハードディスクや冷却用のファン等の音源又は震動源となる部品を含む電子機器では、音や振動の対策として、種々の工夫がなされていた。例えば、スピーカから干渉音を出力することによる対策、ファンとは逆位相の消音信号を出力することによる対策等が行われていた（例えば、特許文献１、２参照）。
【先行技術文献】
【特許文献】
【０００３】
【特許文献１】特開平５−９８９２６号公報
【特許文献１】特開２００７−１４７７６８号公報
【発明の概要】
【発明が解決しようとする課題】
【０００４】
ところで、従来のスピーカ等の対策部品はパソコンやサーバ等の電子機器に初めから組み込まれており、後付けができるようには構成されていなかった。
【０００５】
また、パソコンやサーバ等の電子機器は内部のスペースが限られているため、省スペースで音や振動等を抑制できることが求められていた。
【０００６】
そこで、容易に着脱自在で小型の着脱式カード型平面スピーカ及びこれを含む携帯電話端末機を提供することを目的とする。
【課題を解決するための手段】
【０００７】
本発明の実施の形態の一観点の着脱式カード型平面スピーカは、電子機器に接続されるコネクタと、前記コネクタを保持するカード本体と、前記カード本体に配設される平面スピーカと、前記カード本体に配設され、周囲の音を検出する音検出手段と、前記音検出手段で検出された音に基づき、周囲の音又は振動を減衰させるための駆動信号を生成する駆動信号生成部と、前記駆動信号に基づいて前記平面スピーカを駆動する駆動部とを含む。
【０００８】
また、前記コネクタはＰＣＩコネクタ、又は、ＵＳＢコネクタであってもよい。
【０００９】
また、前記駆動信号生成部は、前記駆動信号として、前記音検出手段で検出された音とは逆位相の音を表す信号を生成してもよい。
【００１０】
また、前記駆動部に電力供給を行うバッテリをさらに含んでもよい。
【００１１】
また、携帯電話端末機に装着するための携帯電話端末機用インターフェイスコネクタをさらに含んでもよい。
【００１２】
本発明の実施の形態の一観点の携帯電話端末機は、前記いずれかに記載の着脱式カード型平面スピーカを含む。
【発明の効果】
【００１３】
容易に着脱自在で小型の着脱式カード型平面スピーカ及びこれを含む携帯電話端末機を提供できる。
【図面の簡単な説明】
【００１４】
【図１】実施の形態１の着脱式カード型平面スピーカの構成を示す図である。
【図２】実施の形態１の着脱式カード型平面スピーカ１０の平面スピーカ１３の駆動部の構成を示すブロック図である。
【図３】実施の形態１の着脱式カード型平面スピーカ１０をパソコンのＰＣＩスロットに差し込んだ状態を示す図である。
【図４】実施の形態２の着脱式カード型平面スピーカの構成を示す図である。
【図５】実施の形態２の着脱式カード型平面スピーカ２０をパソコンのＵＳＢポートに差し込んだ状態を示す図である。
【図６】実施の形態３の着脱式カード型平面スピーカの構成を示す図である。
【図７】実施の形態３の着脱式カード型平面スピーカ３０の平面スピーカ１３の駆動部の構成を示すブロック図である。
【図８】実施の形態４の着脱式カード型平面スピーカの構成を示す図である。
【図９】実施の形態４の着脱式カード型平面スピーカ４０の平面スピーカ１３の駆動部の構成を示すブロック図である。
【図１０】実施の形態４の着脱式カード型平面スピーカ４０を携帯電話端末機４００に装着する手法を説明するための図であり、（Ａ）は装着前、（Ｂ）は装着後の状態を示す。
【図１１】実施の形態５の着脱式カード型平面スピーカを内蔵した携帯電話端末機の構成を示す図であり、図１１（Ａ）は斜視図、図１１（Ｂ）は内部構成を示す図である。
【図１２】実施の形態５の着脱式カード型平面スピーカ５０の回路構成を示すブロック図である。
【発明を実施するための形態】
【００１５】
以下、本発明の着脱式カード型平面スピーカ及びこれを含む携帯電話端末機を適用した実施の形態について説明する。
【００１６】
＜実施の形態１＞
図１は、実施の形態１の着脱式カード型平面スピーカの構成を示す図である。図１（Ａ）は平面図、図１（Ｂ）は正面図、図１（Ｃ）は側面図である。
【００１７】
図１（Ａ）〜（Ｃ）に示すように、実施の形態１の着脱式カード型平面スピーカ１０は、ＰＣＩ（Peripheral Component Interconnect）スロットに差し込み可能なコネクタ１１、カード本体１２、平面スピーカ１３、及びマイク１４を含む。カード本体１２の内部には、平面スピーカ１３から出力する音を表す信号を生成するためのＣＰＵ（Central Processing Unit）と、コネクタ１１が差し込まれるパソコンやサーバ等の電子機器から供給される電力を平面スピーカ１３の駆動部１３Ａに供給するための電力供給部とが内蔵されている。ＣＰＵ及び電力供給部については、図２を用いて後述する。
【００１８】
コネクタ１１は、ＰＣＩスロットに差し込み可能なコネクタであればよく、例えば、３２ｂｉｔバス幅で所定電圧（例えば、５Ｖ）の電気信号に対応したＰＣＩスロットに差し込み可能なコネクタを用いることができる。
【００１９】
カード本体１２は、コネクタ１１及び平面スピーカ１３が取り付けられ、平面スピーカ１３を駆動するための駆動部を内蔵する筐体であり、例えば、樹脂製であればよい。ＰＣＩスロット用のコネクタ１１を有するカード本体１２は、所謂ＰＣＩカードの構造を有する。
【００２０】
平面スピーカ１３は、静電式のもの、あるいは電磁式のもの等、駆動形式はどのようなものであってもよく、限られたスペースに配置するために、薄型であればよい。平面スピーカ１３は、駆動部１３Ａを介してカード本体１２の上面に固定されている。
【００２１】
マイク１４は、カード本体１２の上面に取り付けられる小型マイクであり、平面スピーカ１３の駆動部１３Ａに接続されている。マイク１４で検出される音（振動による音も含む）を表す信号は、マイク１４の内部のアンプで増幅され、駆動部１３Ａに入力される。なお、マイク１４は、着脱式カード型平面スピーカ１０の周囲の音を検出して電気信号に変換できる装置であれば、どのような形式のものであってもよい。また、マイク１４を取り付ける場所は、平面スピーカ１３の近傍であり、かつ、平面スピーカ１３と同じ方向に向けられていることが好ましいが、必ずしもこのような状態で取り付ける必要はなく、カード本体１２のどこかに取り付けられていればよい。
【００２２】
以上のように、実施の形態１の着脱式カード型平面スピーカ１０は、ＰＣＩカードに平面スピーカ１３及びマイク１４を取り付けた構造を有する。
【００２３】
図２は、実施の形態１の着脱式カード型平面スピーカ１０の平面スピーカ１３の駆動部の構成を示すブロック図である。
【００２４】
着脱式カード型平面スピーカ１０は、コネクタ１１、カード本体１２、平面スピーカ１３、及びマイク１４に加えて、ＣＰＵ１５及び電力供給部１６を含む。
【００２５】
平面スピーカ１３及びマイク１４は、ＣＰＵ１５に接続されている。また、電力供給部１６は、ＰＣＩスロット用のコネクタ１１を介してパソコン等の電源に接続されている。平面スピーカ１３、マイク１４、及びＣＰＵ１５には、破線で示すように、電源供給部１６から電力が供給される。
【００２６】
ＣＰＵ１５は、マイク１４で検出される音に基づいて平面スピーカ１３から出力する音を表す駆動信号を生成する駆動信号生成部である。
【００２７】
電力供給部１６は、コネクタ１１が差し込まれるパソコンやサーバ等の電子機器から供給される電力を平面スピーカ１３の駆動部１３Ａ、マイク１４、及びＣＰＵ１５に供給するものであり、例えば、増幅器や整流器を備える。
【００２８】
次に、平面スピーカ１３の駆動方法について説明する。実施の形態１の着脱式カード型平面スピーカ１０は、例えば、パソコンやサーバ等の電子機器に接続され、電子機器の音や振動を低減するために用いられる。着脱式カード型平面スピーカ１０の周囲の音や振動を減衰させるために、ＣＰＵ１５は、所定の周期で演算処理を行い、マイク１４で検出される音を表す信号の変化に応じて、この信号とは逆位相の信号を駆動信号として生成する。
【００２９】
この駆動信号は、ＣＰＵ１５から駆動部１３Ａに入力され、平面スピーカ１３は、駆動部１３Ａにより、マイク１４から出力される信号とは逆位相の駆動信号で駆動される。マイク１４で検出される音は、平面スピーカ１３の周囲の音であるので、平面スピーカ１３から出力される音により、周囲の音又は振動が減衰される。
【００３０】
図３（Ａ）は、実施の形態１の着脱式カード型平面スピーカをサーバのＰＣＩスロットに差し込んだ状態を示す図であり、図３（Ｂ）は、サーバ内に着脱式カード型平面スピーカが設置された状態を示す断面図である。
【００３１】
図３（Ａ）に示すように、ＰＣＩスロット１００は、マザーボード１０１に取り付けられている。図３（Ａ）には、説明の便宜上、マザーボード１０１の一部分だけを示す。実施の形態１の着脱式カード型平面スピーカ１０は、ＰＣＩスロット１００にコネクタ１１（図１参照）が差し込まれることにより、マザーボード１０１に取り付けられる。
【００３２】
図３（Ｂ）に示すように、サーバ１１０の筐体１１１内には、マザーボード１０１、ハードディスク１０２、ＤＶＤ（Digital Versatile Disc）ドライブ１０３、ＣＰＵ用ファン１０４が配設されている。ＣＰＵ用ファン１０４は、ＣＰＵ（ＣＰＵ用ファンに隠れているため図示を省く）を冷却するためのファンであり、マザーボード１０１に搭載されている。
【００３３】
サーバ１１０の筐体１１１の内壁では、ハードディスク１０２、ＤＶＤドライブ１０３、及びＣＰＵ用ファン１０４等が発生する音や振動が反射する。
【００３４】
実施の形態１の着脱式カード型平面スピーカ１０は、ＰＣＩスロット１００にコネクタ１１（図１参照）が差し込まれると、コネクタ１１を介してサーバ１１０から平面スピーカ１３の駆動部１３Ａ、マイク１４、及びＣＰＵ１５に電力が供給される。サーバ１１０の筐体１１１の内壁で反射した音（振動による音も含む）は、マイク１４で検出され、これにより、マイク１４で検出された音の逆位相の音を出力するように、平面スピーカ１３が駆動される。
【００３５】
平面スピーカ１３は、サーバ１１０の筐体１１１内で発生する音又は振動を減衰させるための駆動信号によって駆動されるため、サーバ１１０の発生する音又は振動は減衰され、静粛性が向上する。
【００３６】
このように、実施の形態１の着脱式カード型平面スピーカ１０は、ＰＣＩスロット１００を有するサーバ１１０のような電子機器に簡単に装着でき、後付けも可能である。また、平面スピーカ１３がＰＣＩカードに取り付けられた構造であるため、狭いスペースにも配備することができる。
【００３７】
なお、以上では、ＣＰＵ１５がマイク１４で検出される音とは逆位相の音を表す駆動信号を生成する形態について説明したが、ＣＰＵ１５が生成する駆動信号は、必ずしもマイク１４で検出される音とは逆位相の音を表す駆動信号ではなくてもよく、周囲の音又は振動を減衰させることのできる音を表す駆動信号であればよい。
【００３８】
また、以上では、ＣＰＵ１５が所定の周期で駆動信号を生成する形態について説明したが、マイク１４で検出される音（振動による音も含む）が時間の変化に対して一定（又は略一定）であるような環境で着脱式カード型平面スピーカ１０が用いられる場合には、ＣＰＵ１５が生成する駆動信号は、時間の変化に対して一定の信号であってもよい。
【００３９】
＜実施の形態２＞
図４は、実施の形態２の着脱式カード型平面スピーカの構成を示す図である。図４（Ａ）は平面図、図４（Ｂ）は正面図、図４（Ｃ）は側面図である。
【００４０】
実施の形態２の着脱式カード型平面スピーカ２０は、ＵＳＢ（Universal Serial Bus）ポートに差し込み可能なコネクタ２１を含み、平面スピーカ１３がカード本体２２内に収納されている点が実施の形態１の着脱式カード型平面スピーカ１０と異なる。以下では、相違点を中心に説明を行い、同一の構成要素には同一符号を付し、その説明を省略する。
【００４１】
着脱式カード型平面スピーカ２０は、ＵＳＢポートに差し込み可能なコネクタ２１、カード本体２２、平面スピーカ１３、マイク１４、ＣＰＵ１５、及び電力供給部１６を含む。平面スピーカ１３、マイク１４、ＣＰＵ１５、及び電力供給部１６は、カード本体２２の内部に収容されている。なお、コネクタ２１は、ＵＳＢポートに差し込み可能なコネクタであればよい。
【００４２】
カード本体２２は、メッシュ状の開口部２２Ａ、及びメッシュ状の開口部２２Ａの脇に開口された小さな開口部２２Ｂを有する。平面スピーカ１３及びマイク１４は、開口部２２Ａ、２２Ｂの下に位置するように、カード本体２２の内部に配設されている。
【００４３】
着脱式カード型平面スピーカ２０は、開口部２２Ｂを通じてマイク１４で検出した音とは逆位相の音を開口部２２Ａを通じて平面スピーカ１３から出力する。これにより、着脱式カード型平面スピーカ２０の周囲の音が相殺されて減衰されるので、着脱式カード型平面スピーカ２０の周囲の静粛性が向上する。
【００４４】
図５は、実施の形態２の着脱式カード型平面スピーカ２０をパソコン２１０のＵＳＢポートに差し込んだ状態を示す図である。
【００４５】
ＵＳＢポート２００は、パソコン２１０の筐体２１１の外面に配設されている。実施の形態２の着脱式カード型平面スピーカ２０は、パソコン２１０のＵＳＢポート２００にコネクタ２１が差し込まれると、コネクタ２１を介してパソコン２１０から平面スピーカ１３の駆動部１３Ａ、マイク１４、及びＣＰＵ１５に電力が供給され、これにより、平面スピーカ１３が駆動される。
【００４６】
平面スピーカ１３は、パソコン２１０が発生する音又は振動を減衰させるための駆動信号によって駆動されるため、パソコン２１０の発生する音又は振動は減衰され、静粛性が向上する。
【００４７】
このように、実施の形態２の着脱式カード型平面スピーカは、ＵＳＢポート２００を有するパソコン２１０のような電子機器に簡単に装着でき、後付けも可能である。また、平面スピーカ１３がカードに取り付けられた構造であるため、狭いスペースにも配備することができる。
【００４８】
＜実施の形態３＞
図６は、実施の形態３の着脱式カード型平面スピーカの構成を示す図である。図６（Ａ）は平面図、図６（Ｂ）は正面図、図６（Ｃ）は側面図である。
【００４９】
実施の形態３の着脱式カード型平面スピーカ３０は、平面スピーカ１３を駆動するためのバッテリ３３と、バッテリ３３から平面スピーカ１３に供給する電力を増幅するための増幅器３４と、カード本体３２の底面３２Ｃに板状の磁石３５とを備え、平面スピーカ１３がカード本体３２内に収納されている点が実施の形態１の着脱式カード型平面スピーカ１０と異なる。以下では、相違点を中心に説明を行い、同一の構成要素には同一符号を付し、その説明を省略する。
【００５０】
着脱式カード型平面スピーカ３０は、カード本体３２、平面スピーカ１３、マイク１４、ＣＰＵ１５、電力供給部１６、バッテリ３３、増幅器３４、及び磁石３５を含む。平面スピーカ１３、マイク１４、ＣＰＵ１５、及び電力供給部１６は、カード本体３２の内部に収容されている。
【００５１】
カード本体３２は、メッシュ状の開口部３２Ａ、及びメッシュ状の開口部３２Ａの脇に開口された小さな開口部３２Ｂを有する。平面スピーカ１３及びマイク１４は、開口部３２Ａ、３２Ｂの下に位置するように、カード本体３２の内部に配設されている。
【００５２】
着脱式カード型平面スピーカ３０は、開口部３２Ｂを通じてマイク１４で検出した音とは逆位相の音を開口部３２Ａを通じて平面スピーカ１３から出力する。平面スピーカ１３を駆動するための電力は、バッテリ３３から増幅器３４を経て平面スピーカ１３に供給される。
【００５３】
バッテリ３３は、例えば、リチウムイオン電池のように繰り返し充電可能な携帯型の電源であればよく、充電を行うための充電器３３Ａが接続されている。充電器３３Ａはコネクタ３３Ｂを有する。
【００５４】
増幅器３４は、バッテリ３３から平面スピーカ１３に供給する電力を増幅するために設けられており、例えば、電圧増幅型の増幅器であればよい。
【００５５】
磁石３５は、例えば、鉄等の強磁性体に磁気吸着可能な板状の永久磁石であればよい。
【００５６】
図７は、実施の形態３の着脱式カード型平面スピーカ３０の平面スピーカ１３の駆動部の構成を示すブロック図である。
【００５７】
着脱式カード型平面スピーカ３０は、カード本体３２、平面スピーカ１３、及びマイク１４に加えて、ＣＰＵ１５、電力供給部１６、バッテリ３３、充電器３３Ａ、コネクタ３３Ｂ、及び増幅器３４を内蔵する。
【００５８】
実施の形態３の着脱式カード型平面スピーカ３０では、平面スピーカ１３、マイク１４、及びＣＰＵ１５には、バッテリ３３から供給される電力が増幅器３４で増幅されて供給される。
【００５９】
このような実施の形態３着脱式カード型平面スピーカ３０によれば、例えば、磁石３５を鉄製のデスクや書棚等に磁気吸着させれば、着脱式カード型平面スピーカ３０の周囲の音が相殺されて減衰されるので、着脱式カード型平面スピーカ３０の周囲の静粛性が向上させることができる。
【００６０】
＜実施の形態４＞
図８は、実施の形態４の着脱式カード型平面スピーカの構成を示す図である。図８（Ａ）は平面図、図８（Ｂ）は正面図、図８（Ｃ）は側面図である。
【００６１】
実施の形態４の着脱式カード型平面スピーカ４０は、携帯電話のコネクタに接続することにより、携帯電話に装着可能である点が実施の形態３の着脱式カード型平面スピーカ４０と異なる。なお、実施の形態４の着脱式カード型平面スピーカ４０は、磁石３５（実施の形態３参照）は含まない。以下では、相違点を中心に説明を行い、同一の構成要素には同一符号を付し、その説明を省略する。
【００６２】
着脱式カード型平面スピーカ４０は、カード本体４２、平面スピーカ１３、マイク１４、ＣＰＵ１５、電力供給部１６、バッテリ３３、増幅器３４、及びコネクタ４３を含む。平面スピーカ１３、マイク１４、ＣＰＵ１５、及び電力供給部１６は、カード本体４２の内部に収容されている。
【００６３】
コネクタ４３は、例えば、携帯電話端末機用インターフェイスコネクタであればよく、携帯電話端末機４００のコネクタ４００Ａに差し込むことにより、携帯電話端末機４００に装着される。また、コネクタ４３は、バッテリ３３に接続されており、着脱式カード型平面スピーカ４０内のバッテリ３３から携帯電話端末機４００に電力供給を行うことができるように構成されている。
【００６４】
カード本体４２は、メッシュ状の開口部３２Ａ、及びメッシュ状の開口部３２Ａの脇に開口された小さな開口部３２Ｂを有する。平面スピーカ１３及びマイク１４は、開口部３２Ａ、３２Ｂの下に位置するように、カード本体４２の内部に配設されている。
【００６５】
着脱式カード型平面スピーカ４０は、開口部３２Ｂを通じてマイク１４で検出した音とは逆位相の音を開口部３２Ａを通じて平面スピーカ１３から出力する。平面スピーカ１３を駆動するための電力は、バッテリ３３から増幅器３４を経て平面スピーカ１３に供給される。
【００６６】
図９は、実施の形態４の着脱式カード型平面スピーカ４０の平面スピーカ１３の駆動部の構成を示すブロック図である。
【００６７】
着脱式カード型平面スピーカ４０は、カード本体４２、平面スピーカ１３、及びマイク１４に加えて、ＣＰＵ１５、電力供給部１６、バッテリ３３、充電器３３Ａ、及び増幅器３４を内蔵する。
【００６８】
実施の形態４の着脱式カード型平面スピーカ４０は、平面スピーカ１３、マイク１４、及びＣＰＵ１５には、バッテリ３３から供給される電力が増幅器３４で増幅されて供給される。また、コネクタ４３を携帯電話端末機４００に挿入することにより、着脱式カード型平面スピーカ４０内のバッテリ３３から携帯電話端末機４００に電力を供給することができる。
【００６９】
図１０は、実施の形態４の着脱式カード型平面スピーカ４０を携帯電話端末機４００に
装着する手法を説明するための図であり、（Ａ）は装着前、（Ｂ）は装着後の状態を示す。
【００７０】
図１０（Ａ）に示すように、着脱式カード型平面スピーカ４０のコネクタ４３と携帯電話端末機４００のコネクタ４００Ａの位置を合わせ、図１０（Ｂ）に示すように挿入すれば、着脱式カード型平面スピーカ４０を携帯電話端末機４００に装着することができる。
【００７１】
このため、着脱式カード型平面スピーカ４０を装着した携帯電話端末機４００の周囲の音が相殺されて減衰されるので、携帯電話端末機４００の利用者の通話内容が周囲の人に聞こえないようにすることができる。
【００７２】
＜実施の形態５＞
図１１は、実施の形態５の着脱式カード型平面スピーカを内蔵した携帯電話端末機の構成を示す図であり、図１１（Ａ）は斜視図、図１１（Ｂ）は内部構成を示す図である。
【００７３】
実施の形態５の着脱式カード型平面スピーカ５０は、携帯電話端末機５００に内蔵されており、携帯電話端末機５００から電源供給を受ける点が実施の形態３の着脱式カード型平面スピーカ５０と異なる。なお、実施の形態５の着脱式カード型平面スピーカ５０は、バッテリ３３、充電器３３Ａ、増幅器３４、及び磁石３５（それぞれ実施の形態３参照）は含まない。以下では、相違点を中心に説明を行い、同一の構成要素には同一符号を付し、その説明を省略する。
【００７４】
図１１（Ａ）に示すように、着脱式カード型平面スピーカ５０は、携帯電話端末機５００のマイク５０１用の開口メッシュ５０２の近傍に内蔵されている。また、携帯電話端末機５００の側面には、携帯電話端末機５００のマイク５０１のオン／オフを走査するための操作スイッチ５０３が設けられている。なお、携帯電話端末機５００は、携帯電話端末機用インターフェイスコネクタであるコネクタ５００Ａを有する。
【００７５】
また、図１１（Ｂ）に示すように、着脱式カード型平面スピーカ５０は、基板５１の上に実装される平面スピーカ１３、マイク１４、及びＣＰＵ１５を含み、携帯電話端末機５００のバッテリ５０４から増幅器５０５を経て電力供給を受けるように構成されている。
【００７６】
図１２は、実施の形態５の着脱式カード型平面スピーカ５０の回路構成を示すブロック図である。
【００７７】
図１２に示すように、着脱式カード型平面スピーカ５０には、携帯電話端末機５００のバッテリ５０４から増幅器５０５を経て電力供給が行われる。着脱式カード型平面スピーカ５０は、操作スイッチ５０３により、電源のオン／オフを切り替えることができる。
【００７８】
着脱式カード型平面スピーカ５０は、操作スイッチ５０３によって電源がオンにされている間は、開口メッシュ５０２を通じてマイク１４で検出した音とは逆位相の音を開口メッシュ５０２を通じて平面スピーカ１３から出力する。
【００７９】
このため、着脱式カード型平面スピーカ５０を内蔵した携帯電話端末機５００の周囲の音が相殺されて減衰されるので、携帯電話端末機５００の利用者の通話内容が周囲の人に聞こえないようにすることができる。
【００８０】
以上、本発明の例示的な実施の形態の着脱式カード型平面スピーカについて説明したが、本発明は、具体的に開示された実施の形態に限定されるものではなく、特許請求の範囲から逸脱することなく、種々の変形や変更が可能である。
【符号の説明】
【００８１】
１０、２０、３０、４０、５０  着脱式カード型平面スピーカ
１１、２１  コネクタ
１２、２２、３２、４２  カード本体
１３  平面スピーカ
１３Ａ  駆動部
１４  マイク
１５  ＣＰＵ
１６  電力供給部
２２Ａ、２２Ｂ  開口部
３３  バッテリ
３４  増幅器
３５  磁石
３２Ａ、３２Ｂ  開口部
３２Ｃ  底面
４３  コネクタ
１００  ＰＣＩスロット
１０１  マザーボード
１０２  ハードディスク
１０３  ＤＶＤドライブ
１０４  ＣＰＵ用ファン
１１０  サーバ
１１１、２１１  筐体
２００  ＵＳＢポート
２１０  パソコン
４００、５００  携帯電話端末機
５０１  マイク
５０２  メッシュ
５０３  操作スイッチ
５０４  バッテリ
５０５  増幅器
【図２】
2011252964.tif 000003
【図４】
2011252964.tif 000004
【図６】
2011252964.tif 000005
【図７】
2011252964.tif 000006
【図９】
2011252964.tif 000007
【図１０】
2011252964.tif 000008
【図１２】
2011252964.tif 000009
【図１】
2011252964.tif 000010
【図３】
2011252964.tif 000011
【図５】
2011252964.tif 000012
【図８】
2011252964.tif 000013
【図１１】
2011252964.tif 000014